(57)【要約】【目的】軽量で組立て解体が容易なうえ、収納された衣類等の臭気の分解消臭と調湿により、常に快適な着用感を以って着用できるよう収納保管させる消臭調湿性収納ケースの提供。【構成】紙製ダンボールにより所要の形状及び容積に組立てられる収納ケースの内側面を形成する紙製ダンボールの裏ライナーに、平均粒径が５０μｍ以下で比表面積が１２０ｍ２／ｇ以上及び塩基置換容量（ｍｅｑ／１００ｇ）が２００ｍｍｇ以上の人工ゼオライト粉体が、その吸着性及び吸湿性を損われぬよう且５０ｇ／ｍ２以上の塗着重量割合で塗着され、若しくは５０ｇ／ｍ２以上の配合重量割合で配合されてなる消臭調湿ライナーが用いられた消臭調湿ダンボールを用いてなる消臭調湿性収納ケース。【選択図】  図６
2004256168.tif 000002
【特許請求の範囲】
【請求項１】
紙製ダンボールにより所要の形状及び容積に組立てて使用される収納ケースにおいて、該収納ケースの内側面を形成する紙製ダンボールの裏ライナーに、その平均粒径が５０μｍ以下で且比表面積が１２０ｍ２／ｇ以上及び塩基置換容量（ｍｅｑ／１００ｇ）が２００ｍｇ以上の人工ゼオライト粉体が、セルロース誘導体、ロジン、カゼイン、ゼラチン若しくは澱粉から選ばれる水溶性塗材により、該人工ゼオライト粉体が少なくとも５０ｇ／ｍ２以上の塗着重量割合で塗着された消臭調湿性ライナーを用いたことを特徴とする消臭調湿性収納ケース。
【請求項２】
収納ケースの内側面を形成する紙製ダンボールの裏ライナーが、人工ゼオライト粉体にパルプ、麻、綿よりなる繊維素を凝集フロック状に担持させたうえ、人工ゼオライト粉体が実質的に５０ｇ／ｍ２以上の配合重量割合となるよう配合抄紙された消臭調湿性ライナーが用いられてなる請求項１記載の消臭調湿性収納ケース。
【請求項３】
紙製ダンボールの中しんが人工ゼオライト粉体に繊維素を凝集フロック状に担持させたうえ、人工ゼオライト粉体が実質的に５０ｇ／ｍ２以上の配合重量割合で配合抄紙させた消臭調湿性中しんが使用され、且裏ライナー全面に多数の通気微孔が形成されてなる請求項１若しくは請求項２記載の消臭調湿性収納ケース。
【発明の詳細な説明】
【０００１】
【産業上の利用分野】
本発明は消臭調湿性収納ケースに係るもので、更に詳しくは臭気や湿気の吸着性及び吸湿性に優れ、衣類等の収納保管には極めて好適な消臭調湿性収納ケースに関するものである。
【０００２】
【従来技術】
我が国では生活の豊かさとともに、衣類もアウターやインナーに係りなく高級品を多種多用する時代を迎えており、とりわけファッション感覚に敏感な女性においては膨大量に昇る衣類を保持している。
ところで我が国では春期から秋期に亘っては、高温且高湿な気候となり、且大半の就労者は都市部へ過密な通気車輌を利用して勤務しているため、通勤時における発汗や都心部における過剰の排気ガスや各種ガス等による汚染された大気環境下での就労を余儀なくされており、更には住環境においても比較的狭少なスペースに加えて密閉性が高く、生活臭気が籠り易く且結露の発生とともに黴や細菌の繁殖による臭気発生等とも相俟って、使用中若しくは保管中における衣類にはこれら臭気や湿気が多量に吸着吸湿されることとなる。
【０００３】
ところで高級な洋服や和服等の長期保管には、通常ランドリーを施したる後洋服箪笥や和箪笥内に保管されるが、短時に使用され吸汗や臭気の吸着或いは汚損された多種多様の衣類は、その湿気や臭気が拡散されたり他の衣類に吸湿若しくは吸着されぬよう且簡便な整理及び収納をなすうえから、或いは部屋替えや引越し等に利便なよう衣装ケース若しくは収納ケースと称される整理保管のためのケースに収納させることが一般に利用されている。
【０００４】
然るにこれら従来からの整理保管用に使用されてなるケースは、薄肉金属板材に塗装を施した素材若しくは合成樹脂素材を用いて、所要の内容積を有する立方形状に形成させた収納部と、該収納部に嵌入できる形状に形成された蓋部とにより構成されるものであって、収納させた衣類の密閉化と整理保管時の保形性には優れるものの、嵩高且多重なため部屋替えや引越し等に際しての輸送性や取扱性が悪く、且収納された衣類に吸汗された湿気や吸着された臭気が該ケース内に籠り、混在収納される他の衣類にも湿気や臭気が吸湿吸着され、而も長時に放置すると細菌や黴の繁殖を増長し特有のカビ臭の発生ばかりか、衣類の変色や劣化も招来される問題を内在している。
【０００５】
かかることから、近時においては軽量で保形性にも優れる収納ケースとして紙製ダンボールを素材として所要の収納容積の立方体に折合組立てし収納部を形成させ、且収納部に嵌入し閉塞しえるよう同様の紙性ダンボールを折合組立てて蓋部を形成させた紙製ダンボール収納ケースが積極的に利用されつつあるが、該紙製ダンボール収納ケース内に収納される衣類も吸汗や臭気の吸着がなされたものも多く、且該紙製ダンボール収納ケースも密閉状に収納保管されるため、湿気や臭気が他の混在収納される衣類に吸湿や吸着され、且細菌や黴の繁殖も依然としてなされる問題をも抱えている。
【０００６】
発明者はかかる実情に鑑み鋭意研究を重ねた結果、石炭灰や鋳造廃砂等の残留主成分が酸化硅素や酸化アルミニウムからなる産業廃棄物をアルカリ前処理及び高温高圧処理を施すことにより極めて多孔性で臭気や湿気の吸着並びに分解消去と吸湿性に優れる人工ゼオライト粉体が生成しえ、且この人工ゼオライト粉体を厚手紙の一側面に塗着させ、若しくは厚手に配合抄紙することにより臭気の吸着と分解消去並びに吸湿及び放湿性所謂調湿性に優れる紙製ダンボールを形成しえることを究明し本発明に至った。
【０００７】
【発明が解決しようとする課題】
即ち本発明は軽量で組立解体が容易なうえ収納された衣類の臭気の分解消臭と調湿により、常に快適な着用感をもって着用できるように収納保管しえる消臭調湿性収納ケースを提供することにある。
【０００８】
上述の課題を解決するために本発明が採用した技術的手段は、紙製ダンボールにより所要の形状及び容積に組立てられて使用される収納ケースにおいて、該収納ケースの内側面を形成する紙製ダンボールの裏ライナーが、収納される衣類から発散される臭気や湿気をその大きな接触表面積率を以って積極的に吸着吸湿せしむるために、その平均粒径が５０μｍ以下で且効率良く吸着及び吸湿を図るうえで、その吸着容量並びに吸湿容量が大きく且より望ましくは絶対吸着容量及び絶対吸湿容量を膨大容量とする必要上から、その比表面積が少なくとも１２０ｍ２／ｇ以上で而も吸着された臭気を本来的に保持する触媒作用と且強い塩基置換性を以って分解消臭せしめて長期に亘る吸着性を保持させるため、その塩基置換容量（ｍｅｑ／１００ｇ）が少なくとも２００ｍｇ以上の人工ゼオライト粉体が選択使用される。
【０００９】
そしてこの選択された人工ゼオライト粉体を、その吸着性や吸湿性を阻害させずに且ライナー材の一側面にその絶対吸着容量及び絶対吸湿容量を膨大容量を以って塗着形成させるためセルロース誘導体、ロジン、カゼイン、ゼラチン若しくは澱粉より選ばれる水溶性塗材を用いて、人工ゼオライト粉体が実質的に５０ｇ／ｍ２以上の塗着重量割合を以って塗着させることにより消臭調湿性ライナーを形成する。
而して表ライナーと中しん及び該消臭調湿性ライナーとを一体的に接合させて消臭調湿ダンボールとなしたるうえ、所要形状及び容積に組立て可能に裁断し且折合切込みを穿設させてなる構成の消臭調湿性収納ケースに存する。
【００１０】
更には紙製ダンボールの裏ライナーに使用する消臭調湿性ライナーが、人工ゼオライト粉体に、パルプ、麻、綿等の繊維素を凝集フロック状に担持させて絡合性を高めたうえ、人工ゼオライト粉体が実質的に５０ｇ／ｍ２以上の配合重量割合を以って配合抄紙させた消臭調湿性ライナーが使用されてなる構成、及び裏ライナーに消臭調湿性ライナーが用いられるとともに、中しんが人工ゼオライト粉体にパルプ、麻、綿等の繊維素が担持され、且人工ゼオライト粉体が実質的に５０ｇ／ｍ２以上の配合重量割合で配合抄紙したうえ適宜の波形加工を施してなる消臭調湿性中しんが使用され、而も消臭調湿性ライナーの全面に亘って、多数の通気微孔が形成された消臭調湿性ダンボールで形成される消臭調湿性収納ケースの構成に存する。
【００１１】
【作用】
本発明は上述の如き技術構成を用いてなるため、以下のような作用を有する。即ち紙製ダンボールを所要の形状及び容積に組み立てて使用される収納ケースにおいて、紙製ダンボールの裏ライナーがライナー材の一側面にその平均粒径が５０μｍ以下で比表面積が少なくとも１２０ｍ２／ｇ以上及び塩基置換容量（ｍｅｑ／１００ｇ）が２００ｍｇ以上の人工ゼオライト粉体が、その吸着性及び吸湿性を阻害されぬようセルロース誘導体、ロジン、カゼイン、ゼラチン若しくは澱粉から選ばれる水溶性塗材により、且人工ゼオライト粉体が５０ｇ／ｍ２以上の塗着重量割合で塗着されて消臭調湿ライナーが形成されてなるため、該塗材の乾燥固化に伴う塗着膜が透気性及び透湿性を保持し且水溶性塗材の水分蒸散に際しての多数の蒸散微孔が生成されることにより、人工ゼオライト粉体の吸着性や吸湿性が十分に発揮されることとなる。
【００１２】
更に人工ゼオライト粉体に繊維素を凝集フロック状に担持させたうえ、人工ゼオライト粉体が実質的に５０ｇ／ｍ２以上の配合重量割合で配合抄紙させて消臭調湿ライナーとなしたる場合には、繊維素の絡合間隙を自在に透気及び透湿がなされるため、人工ゼオライト粉体の吸着性や吸湿性も十分に発揮される。
そして表ライナーに中しんが接合され且裏ライナーに該消臭調湿ライナーが一体に接合された消臭調湿紙製ダンボールで所要形状及び容積に組立てられた収納ケース内に、吸汗或いは臭気発散する衣類を収納させた場合には、消臭調湿ライナーにおける接触表面積率が大きく且吸着容量や吸湿容量も極めて大きく、而も絶対吸着容量や絶対吸湿容量が膨大な人工ゼオライト粉体に積極的且効率的に吸湿され、更に吸湿された湿気は乾燥状態に従って放湿される調湿作用が働くため、収納ケース内の湿気が略一定に保持され、更には発散される臭気も積極的且効率的に吸着されるとともに、その触媒作用と強い塩基置換性により分解消臭されるばかりか、吸着飽和がなされぬため長期に亘って吸着及び分解消臭性が維持される。
【００１３】
加えて消臭調湿紙製ダンボールの裏ライナーに消臭調湿ライナーが使用され、且中しんに人工ゼオライト粉体に繊維素を凝集フロック状に担持させたうえ、人工ゼオライト粉体が実質的に５０ｇ／ｍ２以上の配合重量割合で配合抄紙させたうえ適宜の波形加工を施してなる消臭調湿中しんを使用し、而も消臭調湿ライナー全面に多数の通気微孔が形成された構成においては吸湿並びに放湿に係る調湿性や、臭気の吸着性及び分解消臭性が更に２倍以上の性能で発揮されることとなる。
【００１４】
【実施例】
以下に本発明実施例を図とともに詳細に説明すれば、図１は本発明消臭調湿性収納ケースを形成するための、人工ゼオライトが塗着された消臭調湿ライナーの断面説明図、図２は人工ゼオライト粉体が配合抄紙されてなる消臭調湿ライナーの断面説明図であって、本発明は紙製ダンボールを素材として所要形状及び容積に組立て使用される収納ケースに、優れた臭気の吸着性と分解消臭性及び吸湿及び放湿に伴う調湿性も保持せしめて、収納される衣類を常に快適な着用感で着用できるよう収納保管させるものである。
【００１５】
そこで本発明は紙製ダンボールで所要の形状及び容積に組立てられる収納ケース内に収納される衣類等から発散される臭気や湿気を積極的且効率的に吸着させて分解消臭し、或いは吸湿させて混在される他の衣類への臭気や湿気の付着や吸湿を防止するため、収納ケースの内側面を形成する紙製ダンボールの裏ライナーに消臭調湿ライナー１Ａを使用する技術思想を用いるもので、該消臭調湿ライナー１Ａは図１に示す如く適宜のライナー材１０Ａの一側面に、収納される衣類等から発散される臭気や湿気を積極的且効率的に吸着させて分解消臭させ、或いは吸湿せしめるとともに乾燥状態に伴って放湿所謂調湿させるうえから、その接触表面積率を大きく形成させる必要上平均粒径が５０μｍ以下望ましくは１０乃至３０μｍで、且その吸着吸湿容量も大きなものが好適であることから、その比表面積において少なくとも１２０ｍ２／ｇ以上望ましくは１６０乃至１８０ｍ２／ｇ以上のものが良好で、更には吸着された臭気をその本来的に保持する触媒作用と且強い塩基置換性により分解消臭させ、而も吸着飽和を無くして長期に亘り吸着及び分解消臭性を維持させるうえから、その塩基置換容量（ｍｅｑ／１００ｇ）が少なくとも２００ｍｇ以上望ましくは２４０乃至２８０ｍｇ以上の人工ゼオライト粉体１０Ｂが選択使用される。
【００１６】
かかる場合における人工ゼオライト粉体１０Ｂの選択理由は、ライナー材１０Ａとの塗着に際して塗材や塗着条件によっては人工ゼオライト粉体１０Ｂの比表面積に係る吸着性や吸湿性が最大２０乃至４０％程度阻害される危険を勘案する必要上からによる。
更にライナー材１０Ａは特段に制約はないが、一般的に紙製ダンボールは表ライナーと中しん及び裏ライナーにより形成されるもので、且表ライナーには未晒クラフトパルプや一部かすパルプ素材が用いられるものの、裏ライナーにはかすパルプ、クラフト故紙、更反故、マニラくず等が使用されるもので、かかる素材のもので十分に使用できる。
【００１７】
かくして選択された人工ゼオライト粉体１０Ｂはセルロース誘導体、ロジン、カゼイン、ゼラチン若しくは澱粉より選ばれる水溶性塗材１０Ｃを用い、人工ゼオライト粉体１０Ｂが実質的に５０ｇ／ｍ２以上の塗着重量割合を以ってライナー材１０Ａの一側面に塗着される。
この人工ゼオライト粉体１０Ｂの塗着に際して選択される水溶性塗材１０Ｃは、ライナー材１０Ａと強固な塗着がなしえる塗着性と且該水溶性塗材１０Ｃの乾燥固化に伴い形成される塗着膜が透気性並びに透湿性を保持すること、及び水を溶媒として使用し加熱乾燥に際して該溶媒としての水を蒸散せしめることにより多数の蒸散微孔１０Ｄを形成せしめて、人工ゼオライト粉体１０Ｂの吸着性や吸湿性を阻害させぬ技術的配慮による。
【００１８】
水溶性塗材１０Ｃとして使用されるセルロース誘導体の具体的なものとしてはメチルセルロース、ジメチルセルロース、カルボキシルメチルセルロースが挙げられ、更に澱粉の具体的なものとしては酸化澱粉やアルカリ化澱粉が挙げられる。
そして該水溶性塗材１０Ｃの具体的成分組成は、使用されるライナー材１０Ａの素材や使用する塗材或いは人工ゼオライト粉体１０Ｂの塗着重量割合等によって異なるが、ライナー材１０Ａがパルプ材使用による坪量２００ｇ／ｍ２程度のものに人工ゼオライト粉体１０Ｂの平均粒径が３０μｍのものを５０ｇ／ｍ２の塗着重量割合で塗着させる場合の成分組成の具体例としては人工ゼオライト粉体１０Ｂが２５乃至４５％重量、カゼイン８乃至２４％重量及び水３５乃至６５％重量の組成が挙げられる。加えて人工ゼオライト粉体１０Ｂの塗着重量割合や配合重量割合を５０ｇ／ｍ２以上とすることは、絶対吸着容量及び絶対吸湿容量を膨大容量に形成させておくことが吸着性及び吸湿性が良好に発揮されることによる。
【００１９】
本発明に用いる消臭調湿ライナー１Ａはかかる構成により形成されるが、更に図２に示す如き人工ゼオライト粉体１０Ｂを配合抄紙した消臭調湿ライナー１Ｂを使用することも可能である。
即ちかかる消臭調湿ライナー１Ｂは、人工ゼオライト粉体１０Ｂが多孔性とともにマイナス電位を保持することに伴う凝集性を利用するもので、反面パルプや麻、綿等の繊維素１１Ｂはプラス電位を有することから、図３に示すように人工ゼオライト粉体１０Ｂと繊維素１１Ｂとを水中で混合させることにより繊維素１１Ｂが人工ゼオライト粉体１０Ｂに凝集フロック状に担持され、抄紙に際しての絡合性が付与される。
従ってかかる繊維素１１Ｂが担持された人工ゼオライト粉体１２Ｂを、その人工ゼオライト粉体１０Ｂが実質的に５０ｇ／ｍ２以上の配合重量割合となるよう抄紙することにより形成される。
【００２０】
かかる如くして形成される人工ゼオライト粉体１０Ｂが塗着された消臭調湿ライナー１Ａ或いは人工ゼオライト粉体１０Ｂが配合抄紙された消臭調湿ライナー１Ｂを紙製ダンボールを構成する裏ライナーに使用することにより、消臭調湿ダンボール２となす。
ところで現状の紙製ダンボールはその使用途により表ライナーに中しんを接合させた片面ダンボールや表ライナーに中しんを接合させ更に裏ライナーを接合させた両面ダンボール、更には中しんが二層に配位された複両面段ボール或いは中しんが三層に配位されたトリウォール段ボール等が使用されているが、本発明の如く比較的軽量な収納重量を以って衣類等が収納されるものでは専ら両面ダンボールが利用される。
【００２１】
即ち図４は消臭調湿ライナー１Ａを用いた消臭調湿ダンボール２の断面説明図であって、かかる消臭調湿ダンボール２は表ライナー２０に中しん２１を接合させたうえ、消臭調湿ライナー１Ａの人工ゼオライト塗着面を外面となるよう接合させることにより形成される。
更に図５は消臭調湿ライナー１Ｂを用いた消臭調湿ダンボール２の断面説明図であって、該消臭調湿ダンボール２も表ライナー２０に中しん２１を接合させたうえ、消臭調湿ライナー１Ｂを接合させることで容易に形成がなしえる。
【００２２】
而して衣裳ケースや収納ケース等は必要に応じて収納容積が大きく且多量の衣類等が収納され、或いは多種に亘る物品等が収納される場合も発生し、より消臭性や吸湿性等の要請もなされる。
かかる場合への対処として図６に示すように、本発明を形成するための消臭調湿ダンボール２を構成する中しん２１に消臭調湿中しん１Ｃを使用し、且裏ライナーに消臭調湿ライナー１Ａ若しくは１Ｂを採用する手段が提案される。
【００２３】
即ち図６において、表ライナー２０に接合される中しん２１に代えて、人工ゼオライト粉体１０Ｂに予め繊維素１１Ｂを凝集フロック状に担持させた繊維素担持人工ゼオライト粉体１２Ｂを、人工ゼオライト粉体１０Ｂの実質的配合重量割合が５０ｇ／ｍ２以上の配合割合で抄紙させたうえ適宜の波形加工を施すことにより形成される消臭調湿中しん１Ｃを接合させ、更に裏ライナーに用いる消臭調湿ライナー１Ｂの全面に亘って多数の通気微孔２Ａを穿孔させてなる消臭調湿ダンボール２を使用することが好都合である。
かかる場合の通気微孔２Ａの穿孔には特段の制約はないが、収納される衣類等から発散される臭気や湿気を、消臭調湿中しん１Ｃの人工ゼオライト粉体１０Ｂと十分に通気接触させてやる必要上からは、該通気微孔２Ａの孔径としては略０．３乃至３ｍｍφ程度が望ましい。
【００２４】
図７は本発明消臭調湿性収納ケースの一部切欠見取図であって、該消臭調湿性収納ケース３は、消臭調湿ダンボール２を所要の形状及び容積に組立ててなる収納部３Ａと、該収納部３Ａに嵌入されて密閉しえる形状と深さに組立てられる蓋部３Ｂとにより構成されるものであるから、使用目的に適合する消臭調湿ダンボール２を形成のうえ、収納部３Ａの展開形状並びに蓋部３Ｂの展開形状に裁断し、且組立てのための折合切込みを穿設しておくことで、容易に組立てがなされる。
当然のことながら裏ライナーに使用される消臭調湿ライナー１Ａ若しくは１Ｂが本発明消臭調湿性収納ケース３の内側面となるよう組立てられるものである。
【００２５】
【発明の効果】
本発明は上述したように、表ライナー、中しん及び裏ライナーからなる軽量で保形性に優れる紙製ダンボールを所要の形状及び容積に組立てて使用される収納ケースにおいて、裏ライナーがライナー材の一側面にその平均粒径が５０μｍ以下で且比表面積が１２０ｍ２／ｇ以上及び塩基置換容量（ｍｅｑ／１００ｇ）が２００ｍｇ以上の人工ゼオライト粉体が、その吸着性及び吸湿性を阻害されぬよう而も５０ｇ／ｍ２以上の塗着重量割合で塗着された消臭調湿ライナー、若しくは人工ゼオライト粉体に繊維素を凝集フロック状に担持させたうえ、この繊維素担持人工ゼオライト粉体を人工ゼオライト粉体が実質的に５０ｇ／ｍ２以上の配合割合で配合されるよう抄紙させた消臭調湿ライナーが用いられ、或いは該繊維素担持人工ゼオライト粉体により抄紙されたうえ適宜の波形加工が施された消臭調湿中しんが使用され、且その裏ライナー全面に通気微孔が形成された消臭調湿ダンボールが用いられるものであるから、消臭調湿ライナーや消臭調湿中しんを作成するのみで、現状のダンボール製造工程で形成できるばかりか裁断及び折合切込みも同様の工程で形成することができる。
【００２６】
そしてかかる消臭調湿ダンボールで所要の形状及び容積に組立てられた本発明では、多量の臭気や湿気が吸着吸湿された衣類等が内部に収納されても、その発散する臭気は該内側面に配位される消臭調湿ライナーの接触表面積率が極めて大きく且吸着容量や吸湿容量はもとより、絶対吸着容量及び絶対吸湿容量の膨大な人工ゼオライト粉体に積極的且効率的に吸着され、而もその触媒作用と強い塩基置換性により分解消臭されるため収納衣類等が確実に消臭されて保管され、且吸着された臭気も分解消臭される結果吸着飽和も無くなり、長期に亘って吸着性と分解消臭性が維持される。
【００２７】
更に吸汗若しくは吸湿された衣類等の湿気もその膨大量の調湿作用が働くため積極的且効率良く吸湿保水され、且乾燥状態に伴って放湿されるため収納ケース内の湿度が略一定の状態に保持され、着用時には快適な着用がなされるばかりか黴や細菌の繁殖も抑制され、特に麻、綿、絹等高級天然繊維を用いた衣類等が安全に収納保管がなしえる。
加えて本発明はダンボールの軽量性と保形性に加え、生産工程が特段に要請されぬため極めて安価に提供できる等、優れた特長を具備する消臭調湿性収納ケースである。
【図面の簡単な説明】
【図１】人工ゼオライト粉体が塗着された消臭調湿ライナーの断面説明図である。
【図２】人工ゼオライト粉体が配合抄紙された消臭調湿ライナーの断面説明図である。
【図３】繊維素担持人工ゼオライト粉体の説明図である。
【図４】人工ゼオライト粉体塗着による消臭調湿ダンボールの断面説明図である。
【図５】人工ゼオライト粉体配合抄紙による消臭調湿ダンボールの断面説明図である。
【図６】消臭調湿中しんが使用された消臭調湿ダンボールの説明図である。
【図７】本発明の一部切欠見取図である。
【符号の説明】
１    消臭調湿ライナー
１Ａ  人工ゼオライト粉体が塗着された消臭調湿ライナー
１Ｂ  人工ゼオライト粉体が配合抄紙された消臭調湿ライナー
１Ｃ  消臭調湿中しん
１０Ａ  ライナー材
１０Ｂ  人工ゼオライト粉体
１０Ｃ  水溶性塗材
１０Ｄ  蒸散微孔
１１Ｂ  繊維素
１２Ｂ  繊維素担持人工ゼオライト粉体
２    消臭調湿ダンボール
２Ａ  通気微孔
２０    表ライナー
２１    中しん
３    本発明収納ケース
３Ａ  収納部
３Ｂ  蓋部
【図１】
2004256168.tif 000003
【図２】
2004256168.tif 000004
【図３】
2004256168.tif 000005
【図４】
2004256168.tif 000006
【図５】
2004256168.tif 000007
【図６】
2004256168.tif 000008
【図７】
2004256168.tif 000009